(57)【特許請求の範囲】
【請求項１】
シール機を含み、前記シール機の中には流動チャンバーが左右に貫通するように設置され、ガラス瓶が右方から左方に前記流動チャンバーを通り抜け、次から次とシールを行うことができ、前記流動チャンバーの上側には下押し装置が設置され、前記下押し装置の右側には消毒装置が設置され、前記下押し装置の中には昇降ブロックが設置され、前記昇降ブロックがまず瓶口の辺りまで下降し、前記消毒装置により瓶口に消毒を行い、それから昇降ブロックが引き続き下に圧力を掛け、瓶蓋を瓶口にきつく押さえて密封を行い、前記消毒装置の上側には保存チャンバーが設置され、前記消毒装置も前記保存チャンバーの中の瓶蓋に高温消毒を行うことができ、前記保存チャンバーの右側にはプッシュ装置が設置され、前記プッシュ装置が前記保存チャンバーの中の最も下側の瓶蓋を前記昇降ブロックの中にプッシュでき、前記流動チャンバーの下側には輸送装置が設置され、前記輸送装置がガラス瓶を右方から左方に一つずつ間欠的に輸送でき、前記輸送装置が前記プッシュ装置に動力が伝達できるように連結され、前記輸送装置が左方にガラス瓶を一つ輸送する時、前記プッシュ装置が瓶蓋を一つプッシュし、前記プッシュ装置の中において前記下押し装置の下側に対向したところには支持装置が設置され、前記支持装置の中には支持板が設置され、前記支持装置が前記下押し装置に動力が伝達できるように連結され、前記昇降ブロックが下降した時、前記支持板がガラス瓶を連動させて上昇させ、消毒とシールとを行い、
前記下押し装置は前記流動チャンバーの上壁左端に連通するように設置された下押しチャンバーを含み、前記昇降ブロックが前記下押しチャンバーの中に上下にスライドできるように設置され、前記下押しチャンバーの前後壁には昇降チャンバーが対称的に且つ連通するように設置され、前記昇降チャンバーの中には前記昇降ブロックの前後端に固定的に連結された昇降棒がスライドできるように設置され、前記昇降チャンバーの中には前記昇降棒にネジ山により連結された昇降ネジ山ロッドが上下に貫通するように設置されており、
前記昇降ブロックの中には下方に開口した消毒チャンバーが設置され、前記消毒チャンバーの円周面壁の中には流通チャンバーが設置され、前記消毒チャンバーと前記流通チャンバーとの間には第一気体噴出孔が連通するように設置され、前記流通チャンバーの外円周面壁の右端には右方に開口した気体入口が連通するように設置され、前記消毒チャンバーの上側には瓶蓋チャンバーが連通するように設置され、前記瓶蓋チャンバーの上側には定型溝が連通するように設置されており、
前記消毒装置は前記下押しチャンバーの右側に設置された蒸気チャンバーを含み、前記蒸気チャンバーと前記下押しチャンバーとの間には気体出口が連通するように設置され、前記気体出口が前記気体入口と連通でき、前記保存チャンバーが前記蒸気チャンバーの上方に設置され、前記保存チャンバーと前記蒸気チャンバーとの間には第二気体噴出口が連通するように設置され、前記蒸気チャンバーの右壁の中には蒸気消毒機が固定的に設置され、前記蒸気消毒機の右側には外部空間と連通した通気孔が連通するように設置されており、
前記プッシュ装置は前記保存チャンバーの右壁下端に連通するように設置された回転ロッドチャンバーを含み、前記回転ロッドチャンバーの中には推進ロッドが回転できるように設置され、前記回転ロッドチャンバーの上側にはベベルギアチャンバーが設置され、前記ベベルギアチャンバーの下壁には前記推進ロッドの回転中心に固定的に連結された伝動ベベルギアが回転できるように設置され、前記ベベルギアチャンバーの後壁の中には輸送モーターが固定的に設置され、前記輸送モーターの前端には前記伝動ベベルギアと噛み合っている動力ベベルギアが動力が伝達できるように連結されており、
前記輸送装置は前記流通チャンバーの下壁に連通するように設置された輸送チャンバーを含み、前記輸送チャンバーの前後両側には上方に開口したガイドレールが対称的に設置され、前記ガイドレールの中の右端には回しロッドが回転できるように設置され、前記回しロッドの回転中心の間にはシンクロ軸が固定的に連結され、流通チャンバーの後壁の中にはプーリチャンバーが設置され、前記プーリチャンバーの中の下側には後側の前記回しロッドに動力が伝達できるように連結された従動プーリが回転できるように設置され、前記プーリチャンバーの中の上側には前記輸送モーターの後端に動力が伝達できるように連結された主動プーリが回転できるように設置され、前記主動プーリと前記従動プーリとの間には伝動ベルトが周設され、前記輸送チャンバーの中には輸送ブロックが左右にスライドできるように設置され、前記輸送ブロックの前後端には下端が前記ガイドレールの中に延びたガイドスライド板が固定的に設置され、前記輸送ブロックの中には上方に開口した積載チャンバーが設置されており、
前記支持装置には前記下押しチャンバーの下方に真向きしており且つ前記輸送チャンバーの前後壁と下壁とに連通するように設置された支持チャンバーが含まれ、前記支持板が前記支持チャンバーの中に上下にスライドできるように設置され、前記支持板の中の中間部分には上方に開口し且つ左右に貫通した定位チャンバーが設置され、前記定位チャンバーが前記輸送チャンバーと連通され、前記定位チャンバーの前後側には上方に開口し且つ前記ガイドレールに連通されたスライド溝が対称的に設置されており、
前記支持チャンバーの下壁には移動チャンバーが前後対称に且つ連通するように設置され、前記移動チャンバーの中には移動ブロックが前後にスライドできるように設置され、前記移動ブロックの上端にはヒンジロッドがヒンジにより連結され、前記ヒンジロッドの上端が互いに近接しており且つ前記支持板の下端面にヒンジにより連結され、前記移動チャンバーの間の内壁の中には昇降モーターが固定的に設置され、前記昇降モーターの前後両端には前記移動ブロックにネジ山により連結された移動ネジ山ロッドが対称的に且つ動力が伝達できるように連結され、前記移動チャンバーのうち対称中心から離れた片側には伝動チャンバーが設置され、前記移動ネジ山ロッドのうち前記昇降モーターから離れた端が前記伝動チャンバーの中に延びており、且つ前記移動ネジ山ロッドのうち前記昇降モーターから離れた端には主動ベベルギアが固定的に設置され、前記昇降ネジ山ロッドの下端が前記伝動チャンバーの中に延びており、且つ前記昇降ネジ山ロッドの下端には前記主動ベベルギアと噛み合っている従動ベベルギアが固定的に設置されていることを特徴とする殺菌機能を有する瓶口シール装置。
【発明の詳細な説明】
【技術分野】
【０００１】
本発明は密封包装技術分野に関し、具体的には殺菌機能を有する瓶口シール装置である。
【背景技術】
【０００２】
ドリンクは人気のある飲み物の一つであり、数多くの飲み物が瓶詰めとなっており、ドリンク類の大手企業において、ドリンクの生産から包装までは全部無菌環境で行われ、しかし小ロット生産包装の飲み物企業にとって、割といい無菌環境を実現できなく、従って包装する時に瓶口と瓶蓋とに消毒を行い、それから迅速に密封を行い、殺菌した後に細菌の再繁殖を最大限度に避けることが必要である。本発明の装置は上記問題を解決できる。
【先行技術文献】
【特許文献】
【０００３】
【特許文献１】中国特許出願公開第１０６２７５６７６号明細書
【発明の概要】
【発明が解決しようとする課題】
【０００４】
技術問題：大手ドリンク生産企業はすべて無菌環境で生産を行い、しかし小型企業が優秀な無菌生産を実現できなく、密封する前に、空気の中の細菌が瓶蓋と瓶蓋に繁殖しやすい。
【課題を解決するための手段】
【０００５】
本発明は以下の技術プランを通じて実現する：本発明の実施例の殺菌機能を有する瓶口シール装置は、シール機を含み、前記シール機の中には流動チャンバーが左右に貫通するように設置され、ガラス瓶が右方から左方に前記流動チャンバーを通り抜け、次から次とシールを行うことができ、前記流動チャンバーの上側には下押し装置が設置され、前記下押し装置の右側には消毒装置が設置され、前記下押し装置の中には昇降ブロックが設置され、前記昇降ブロックがまず瓶口の辺りまで下降し、前記消毒装置により瓶口に消毒を行い、それから昇降ブロックが引き続き下に圧力を掛け、瓶蓋を瓶口にきつく押さえて密封を行い、前記消毒装置の上側には保存チャンバーが設置され、前記消毒装置も前記保存チャンバーの中の瓶蓋に高温消毒を行うことができ、前記保存チャンバーの右側にはプッシュ装置が設置され、前記プッシュ装置が前記保存チャンバーの中の最も下側の瓶蓋を前記昇降ブロックの中にプッシュでき、前記流動チャンバーの下側には輸送装置が設置され、前記輸送装置がガラス瓶を右方から左方に一つずつ間欠的に輸送でき、前記輸送装置が前記プッシュ装置に動力が伝達できるように連結され、前記輸送装置が左方にガラス瓶を一つ輸送する時、前記プッシュ装置が瓶蓋を一つプッシュし、前記プッシュ装置の中において前記下押し装置の下側に対向したところには支持装置が設置され、前記支持装置の中には支持板が設置され、前記支持装置が前記下押し装置に動力が伝達できるように連結され、前記昇降ブロックが下降した時、前記支持板がガラス瓶を連動させて上昇させ、消毒とシールとを行う。
【０００６】
好ましくは、前記下押し装置は前記流動チャンバーの上壁左端に連通するように設置された下押しチャンバーを含み、前記昇降ブロックが前記下押しチャンバーの中に上下にスライドできるように設置され、前記下押しチャンバーの前後壁には昇降チャンバーが対称的に且つ連通するように設置され、前記昇降チャンバーの中には前記昇降ブロックの前後端に固定的に連結された昇降棒がスライドできるように設置され、前記昇降チャンバーの中には前記昇降棒にネジ山により連結された昇降ネジ山ロッドが上下に貫通するように設置されている。
【０００７】
好ましくは、前記昇降ブロックの中には下方に開口した消毒チャンバーが設置され、前記消毒チャンバーの円周面壁の中には流通チャンバーが設置され、前記消毒チャンバーと前記流通チャンバーとの間には第一気体噴出孔が連通するように設置され、前記流通チャンバーの外円周面壁の右端には右方に開口した気体入口が連通するように設置され、前記消毒チャンバーの上側には瓶蓋チャンバーが連通するように設置され、前記瓶蓋チャンバーの上側には定型溝が連通するように設置されている。
【０００８】
好ましくは、前記消毒装置は前記下押しチャンバーの右側に設置された蒸気チャンバーを含み、前記蒸気チャンバーと前記下押しチャンバーとの間には気体出口が連通するように設置され、前記気体出口が前記気体入口と連通でき、前記保存チャンバーが前記蒸気チャンバーの上方に設置され、前記保存チャンバーと前記蒸気チャンバーとの間には第二気体噴出口が連通するように設置され、前記蒸気チャンバーの右壁の中には蒸気消毒機が固定的に設置され、前記蒸気消毒機の右側には外部空間と連通した通気孔が連通するように設置されている。
【０００９】
好ましくは、前記プッシュ装置は前記保存チャンバーの右壁下端に連通するように設置された回転ロッドチャンバーを含み、前記回転ロッドチャンバーの中には推進ロッドが回転できるように設置され、前記回転ロッドチャンバーの上側にはベベルギアチャンバーが設置され、前記ベベルギアチャンバーの下壁には前記推進ロッドの回転中心に固定的に連結された伝動ベベルギアが回転できるように設置され、前記ベベルギアチャンバーの後壁の中には輸送モーターが固定的に設置され、前記輸送モーターの前端には前記伝動ベベルギアと噛み合っている動力ベベルギアが動力が伝達できるように連結されている。
【００１０】
好ましくは、前記輸送装置は前記流通チャンバーの下壁に連通するように設置された輸送チャンバーを含み、前記輸送チャンバーの前後両側には上方に開口したガイドレールが対称的に設置され、前記ガイドレールの中の右端には回しロッドが回転できるように設置され、前記回しロッドの回転中心の間にはシンクロ軸が固定的に連結され、流通チャンバーの後壁の中にはプーリチャンバーが設置され、前記プーリチャンバーの中の下側には後側の前記回しロッドに動力が伝達できるように連結された従動プーリが回転できるように設置され、前記プーリチャンバーの中の上側には前記輸送モーターの後端に動力が伝達できるように連結された主動プーリが回転できるように設置され、前記主動プーリと前記従動プーリとの間には伝動ベルトが周設され、前記輸送チャンバーの中には輸送ブロックが左右にスライドできるように設置され、前記輸送ブロックの前後端には下端が前記ガイドレールの中に延びたガイドスライド板が固定的に設置され、前記輸送ブロックの中には上方に開口した積載チャンバーが設置されている。
【００１１】
好ましくは、前記支持装置には前記下押しチャンバーの下方に真向きしており且つ前記輸送チャンバーの前後壁と下壁とに連通するように設置された支持チャンバーが含まれ、前記支持板が前記支持チャンバーの中に上下にスライドできるように設置され、前記支持板の中の中間部分には上方に開口し且つ左右に貫通した定位チャンバーが設置され、前記定位チャンバーが前記輸送チャンバーと連通され、前記定位チャンバーの前後側には上方に開口し且つ前記ガイドレールに連通されたスライド溝が対称的に設置されている。
【００１２】
好ましくは、前記支持チャンバーの下壁には移動チャンバーが前後対称に且つ連通するように設置され、前記移動チャンバーの中には移動ブロックが前後にスライドできるように設置され、前記移動ブロックの上端にはヒンジロッドがヒンジにより連結され、前記ヒンジロッドの上端が互いに近接しており且つ前記支持板の下端面にヒンジにより連結され、前記移動チャンバーの間の内壁の中には昇降モーターが固定的に設置され、前記昇降モーターの前後両端には前記移動ブロックにネジ山により連結された移動ネジ山ロッドが対称的に且つ動力が伝達できるように連結され、前記移動チャンバーのうち対称中心から離れた片側には伝動チャンバーが設置され、前記移動ネジ山ロッドのうち前記昇降モーターから離れた端が前記伝動チャンバーの中に延びており、且つ前記移動ネジ山ロッドのうち前記昇降モーターから離れた端には主動ベベルギアが固定的に設置され、前記昇降ネジ山ロッドの下端が前記伝動チャンバーの中に延びており、且つ前記昇降ネジ山ロッドの下端には前記主動ベベルギアと噛み合っている従動ベベルギアが固定的に設置されている。
【発明の効果】
【００１３】
本発明の有益効果は：本発明は瓶蓋の事前消毒処理と蓋口への高温消毒とにより、大幅に瓶口に殺菌を行い、それから迅速に瓶蓋を瓶口に密封させ、細菌の繁殖を避けると同時に本装置は安定したままに一つずつガラス瓶を運送でき、大幅に人力を下げ、効率を向上させ、飲み物と空気との接触時間を大幅に減少させ、食用にはより安全である。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の殺菌機能を有する瓶口シール装置の全体構成模式図
【図２】図２は図１のＡ―Ａ方向の構成模式図
【図３】図３は図１のＢ―Ｂ方向の構成模式図
【図４】図４は図１のＣ―Ｃ方向の構成模式図
【図５】図５は図１のＤ―Ｄ方向の構成模式図
【発明を実施するための形態】
【００１６】
本発明は殺菌機能を有する瓶口シール装置に関し、主にガラス瓶の包装過程における殺菌シールに適用され、下記に図面を合わせて本発明を詳しく説明する。
【００１７】
本発明の実施例の殺菌機能を有する瓶口シール装置は、シール機１１を含み、前記シール機１１の中には流動チャンバー１２が左右に貫通するように設置され、ガラス瓶が右方から左方に前記流動チャンバー１２を通り抜け、次から次とシールを行うことができ、前記流動チャンバー１２の上側には下押し装置１０１が設置され、前記下押し装置１０１の右側には消毒装置１０２が設置され、前記下押し装置１０１の中には昇降ブロック１３が設置され、前記昇降ブロック１３がまず瓶口の辺りまで下降し、前記消毒装置１０２により瓶口に消毒を行い、それから昇降ブロック１３が引き続き下に圧力を掛け、瓶蓋を瓶口にきつく押さえて密封を行い、前記消毒装置１０２の上側には保存チャンバー１４が設置され、前記消毒装置１０２も前記保存チャンバー１４の中の瓶蓋に高温消毒を行うことができ、前記保存チャンバー１４の右側にはプッシュ装置１０３が設置され、前記プッシュ装置１０３が前記保存チャンバー１４の中の最も下側の瓶蓋を前記昇降ブロック１３の中にプッシュでき、前記流動チャンバー１２の下側には輸送装置１０４が設置され、前記輸送装置１０４がガラス瓶を右方から左方に一つずつ間欠的に輸送でき、前記輸送装置１０４が前記プッシュ装置１０３に動力が伝達できるように連結され、前記輸送装置１０４が左方にガラス瓶を一つ輸送する時、前記プッシュ装置１０３が瓶蓋を一つプッシュし、前記プッシュ装置１０３の中において前記下押し装置１０１の下側に対向したところには支持装置１０５が設置され、前記支持装置１０５の中には支持板１５が設置され、前記支持装置１０５が前記下押し装置１０１に動力が伝達できるように連結され、前記昇降ブロック１３が下降した時、前記支持板１５がガラス瓶を連動させて上昇させ、消毒とシールとを行う。
【００１８】
有益的に、前記下押し装置１０１は前記流動チャンバー１２の上壁左端に連通するように設置された下押しチャンバー１６を含み、前記昇降ブロック１３が前記下押しチャンバー１６の中に上下にスライドできるように設置され、前記下押しチャンバー１６の前後壁には昇降チャンバー１７が対称的に且つ連通するように設置され、前記昇降チャンバー１７の中には前記昇降ブロック１３の前後端に固定的に連結された昇降棒１８がスライドできるように設置され、前記昇降チャンバー１７の中には前記昇降棒１８にネジ山により連結された昇降ネジ山ロッド１９が上下に貫通するように設置されている。
【００１９】
有益的に、前記昇降ブロック１３の中には下方に開口した消毒チャンバー２３が設置され、前記消毒チャンバー２３の円周面壁の中には流通チャンバー２４が設置され、前記消毒チャンバー２３と前記流通チャンバー２４との間には第一気体噴出孔２５が連通するように設置され、前記流通チャンバー２４の外円周面壁の右端には右方に開口した気体入口２６が連通するように設置され、前記消毒チャンバー２３の上側には瓶蓋チャンバー２７が連通するように設置され、前記瓶蓋チャンバー２７の上側には定型溝２８が連通するように設置されている。
【００２０】
有益的に、前記消毒装置１０２は前記下押しチャンバー１６の右側に設置された蒸気チャンバー２９を含み、前記蒸気チャンバー２９と前記下押しチャンバー１６との間には気体出口３０が連通するように設置され、前記気体出口３０が前記気体入口２６と連通でき、前記保存チャンバー１４が前記蒸気チャンバー２９の上方に設置され、前記保存チャンバー１４と前記蒸気チャンバー２９との間には第二気体噴出口３１が連通するように設置され、前記蒸気チャンバー２９の右壁の中には蒸気消毒機３２が固定的に設置され、前記蒸気消毒機３２の右側には外部空間と連通した通気孔３３が連通するように設置されている。
【００２１】
有益的に、前記プッシュ装置１０３は前記保存チャンバー１０の右壁下端に連通するように設置された回転ロッドチャンバー３４を含み、前記回転ロッドチャンバー３４の中には推進ロッド３５が回転できるように設置され、前記回転ロッドチャンバー３４の上側にはベベルギアチャンバー３６が設置され、前記ベベルギアチャンバー３６の下壁には前記推進ロッド３５の回転中心に固定的に連結された伝動ベベルギア３７が回転できるように設置され、前記ベベルギアチャンバー３６の後壁の中には輸送モーター３８が固定的に設置され、前記輸送モーター３８の前端には前記伝動ベベルギア３７と噛み合っている動力ベベルギア３９が動力が伝達できるように連結されている。
【００２２】
有益的に、前記輸送装置１０４は前記流通チャンバー１２の下壁に連通するように設置された輸送チャンバー４０を含み、前記輸送チャンバー４０の前後両側には上方に開口したガイドレール４１が対称的に設置され、前記ガイドレール４１の中の右端には回しロッド４２が回転できるように設置され、前記回しロッド４２の回転中心の間にはシンクロ軸４３が固定的に連結され、流通チャンバー１２の後壁の中にはプーリチャンバー４４が設置され、前記プーリチャンバー４４の中の下側には後側の前記回しロッド４２に動力が伝達できるように連結された従動プーリ４５が回転できるように設置され、前記プーリチャンバー４４の中の上側には前記輸送モーター３８の後端に動力が伝達できるように連結された主動プーリ４６が回転できるように設置され、前記主動プーリ４６と前記従動プーリ４５との間には伝動ベルト４７が周設され、前記輸送チャンバー４０の中には輸送ブロック４８が左右にスライドできるように設置され、前記輸送ブロック４８の前後端には下端が前記ガイドレール４１の中に延びたガイドスライド板４９が固定的に設置され、前記輸送ブロック４８の中には上方に開口した積載チャンバー５０が設置されている。
【００２３】
有益的に、前記支持装置１０５には前記下押しチャンバー１６の下方に真向きしており且つ前記輸送チャンバー４０の前後壁と下壁とに連通するように設置された支持チャンバー５１が含まれ、前記支持板１５が前記支持チャンバー５１の中に上下にスライドできるように設置され、前記支持板１５の中の中間部分には上方に開口し且つ左右に貫通した定位チャンバー５２が設置され、前記定位チャンバー５２が前記輸送チャンバー４０と連通され、前記定位チャンバー５２の前後側には上方に開口し且つ前記ガイドレール４１に連通されたスライド溝５３が対称的に設置されている。
【００２４】
有益的に、前記支持チャンバー５１の下壁には移動チャンバー５４が前後対称に且つ連通するように設置され、前記移動チャンバー５４の中には移動ブロック５５が前後にスライドできるように設置され、前記移動ブロック５５の上端にはヒンジロッド５６がヒンジにより連結され、前記ヒンジロッド５６の上端が互いに近接しており且つ前記支持板１５の下端面にヒンジにより連結され、前記移動チャンバー５４の間の内壁の中には昇降モーター５７が固定的に設置され、前記昇降モーター５７の前後両端には前記移動ブロック５５にネジ山により連結された移動ネジ山ロッド５８が対称的に且つ動力が伝達できるように連結され、前記移動チャンバー５４のうち対称中心から離れた片側には伝動チャンバー５９が設置され、前記移動ネジ山ロッド５８のうち前記昇降モーター５７から離れた端が前記伝動チャンバー５９の中に延びており、且つ前記移動ネジ山ロッド５８のうち前記昇降モーター５７から離れた端には主動ベベルギア６０が固定的に設置され、前記昇降ネジ山ロッド１９の下端が前記伝動チャンバー５９の中に延びており、且つ前記昇降ネジ山ロッド１９の下端には前記主動ベベルギア６０と噛み合っている従動ベベルギア６１が固定的に設置されている。
【００２５】
以下に図１〜図５を交えて本願発明の殺菌機能を有する瓶口シール装置の使用ステップについて詳しく説明する：
【００２６】
初期状態の時、昇降ブロック１３が上限界位置にあり、保存チャンバー１４の中には円形蓋片が保存され、回転ロッドチャンバー３４の比較的に長い片端が右方に向いており、支持板１５が下限界位置にあり、回しロッド４２の比較的に長い片端が下方に向いており、支持板１５の右側にある輸送ブロック４８の積載チャンバー５０の中にはガラス瓶が置かれ始め、蒸気消毒機３２が始動し且つ蒸気チャンバー２９の中に高温蒸気を流し、まず第二気体噴出口３１により保存チャンバー１４の中の蓋片に高温消毒を行う。
【００２７】
輸送する時、輸送モーター３８が始動し且つ動力ベベルギア３９を回転連動させ、歯車の噛合により伝動ベベルギア３７を回転連動させ、更に推進ロッド３５を一周回転連動させ、推進ロッド３５の比較的に長い片端が左側に回転した時、保存チャンバー１４の中の最も下側の蓋片を瓶蓋チャンバー２７の中に推進すると同時に輸送モーター３８が主動プーリ４６を回転連動させ、伝動ベルト４７により従動プーリ４５を回転連動させ、更に後側の回しロッド４２を反時計回りに一周回転連動させ、シンクロ軸４３により前側の回しロッド４２を反時計回りに一周回転連動させ、更に回しロッド４２の上方のガイドスライド板４９を動かして右方から左方に移動させ、更に輸送ブロック４８を連動させて左方に移動させ、右側の輸送ブロック４８が左側の輸送ブロック４８を推進して左方に移動させると、支持板１５の右側の輸送ブロック４８が定位チャンバー５２の中に移動して定位する。
【００２８】
シールする時、昇降モーター５７が始動し且つ移動ネジ山ロッド５８を回転連動させ、ネジ山連結により移動ブロック５５を連動させて対向するように移動させ、ヒンジロッド５６により支持板１５を連動させて上昇させると、移動ネジ山ロッド５８が主動ベベルギア６０を回転連動させ、歯車の噛合により従動ベベルギア６１を回転連動させ且つ昇降ネジ山ロッド１９を回転連動させ、ネジ山連結により昇降棒１８を連動させて下降させ且つ昇降ブロック１３を連動させて下降させ、この時瓶口が消毒チャンバー２３の中に延び、気体入口２６が気体出口３０と連通され、蒸気チャンバー２９の中の蒸気が気体出口３０と気体入口２６とにより流通チャンバー２４の中に流れ込み、且つ第一気体噴出孔２５により噴出され、瓶口の周りに高温消毒を行い、この時昇降モーター５７が引き続き始動し且つ支持板１５を上昇連動させまた昇降ブロック１３を下降連動させ、瓶口が瓶蓋チャンバー２７の中の蓋片を上へ定型溝２８の中に押して押圧を行い、蓋片を瓶蓋まで押圧して密封し、この時昇降モーター５７が初期状態に反転し、引き続き次のガラス瓶にシールを行う。
【００２９】
本発明の有益効果は：本発明は瓶蓋の事前消毒処理と蓋口への高温消毒とにより、大幅に瓶口に殺菌を行い、それから迅速に瓶蓋を瓶口に密封させ、細菌の繁殖を避けると同時に本装置は安定したままに一つずつガラス瓶を運送でき、大幅に人力を下げ、効率を向上させ、飲み物と空気との接触時間を大幅に減少させ、食用にはより安全である。
【００３０】
以上の方式により、本分野の技術者が本発明の範囲内に作動モードにより各種な変化をすることができる。
【図１】
0006859525.tif 000002
【図２】
0006859525.tif 000003
【図３】
0006859525.tif 000004
【図４】
0006859525.tif 000005
【図５】
0006859525.tif 000006